【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
ブレーキパッドを押圧するパッド押圧部材と、モータと、該モータの回転を直線運動に変換して前記パッド押圧部材に伝達する回転−直動変換機構とを配設してなるキャリパを備え、前記モータの回転に応じて前記パッド押圧部材を推進し、ブレーキパッドをディスクロータに押圧して制動力を発生する電動ディスクブレーキであって、前記パッド押圧部材の制動解除方向への移動をロックおよびアンロック可能なロック機構を備えたものにおいて、前記ロック機構は、前記パッド押圧部材と連動して移動すると共に、その移動方向に所定のピッチで複数の爪部を配設した移動部材と、該移動部材の爪部を係止可能な係止部を有する係止部材と、該係止部が前記移動部材の爪部を係止する方向へ前記係止部材を駆動するアクチュエータと、前記係止部が前記移動部材の爪部から離脱する方向へ前記係止部材を常時付勢する付勢手段とを有し、前記移動部材の移動を規制するロック時には前記係止部が前記移動部材の一側面側の爪部に係止され、前記移動部材の移動を規制しないアンロック時には前記係止部が前記移動部材の他側面側に位置することを特徴とする電動ディスクブレーキ装置。  
【請求項２】
前記移動部材は、前記係止部材の係止部が前記複数の爪部間にあるとき、該係止部が前記移動部材の一側面および他側面間を移動可能とする通路を有し、
ロック時に、前記係止部材の係止部は、前記アクチュエータの作動により前記移動部材の他側面側から前記通路を通って一側面側に移動し、前記一側面側の爪部に係止した状態となることを特徴とする請求項１に記載の電動ディスクブレーキ装置。  
【請求項３】
前記通路による前記係止部の移動軌跡と前記移動部材の移動方向とが交差しており、前記係止部材の係止部が前記爪部の間に位置しているとき、前記付勢手段の付勢力により、前記係止部が前記移動部材の一側面側から前記通路を通って他側面側に移動してアンロック状態となることを特徴とする請求項２に記載の電動ディスクブレーキ装置。
【請求項４】
前記移動部材が制動方向に移動したときには前記係止部が前記移動部材の一側面側から他側面側に移動できず、前記移動部材が制動解除方向に移動したときに前記係止部が前記移動部材の一側面側から他側面側に移動できるように前記係止部材の移動軌跡を設定することを特徴とする請求項３に記載の電動ディスクブレーキ装置。
【請求項５】
前記通路は、一側面側から他側面側に向かうにつれて前記移動部材の制動解除方向に向かうように延びていることを特徴とする請求項４に記載の電動ディスクブレーキ装置。
【請求項６】
前記係止部材の係止部が前記通路を通ることを特徴とする請求項２ないし５のいずれかに記載の電動ブレーキ装置。
【請求項７】
前記モータにより前記パッド押圧部材の推力を増力するリクランプ操作時に、前記係止部材の係止部が前記移動部材の爪部から離脱する方向へ移動するのを規制するストッパ部を備えていることを特徴とする請求項１に記載の電動ディスクブレーキ。
【請求項８】
移動部材は、モータのロータと連動して回転するリング状回転体からなり、一側面側が径方向内側、他側面側が径方向外側にそれぞれ配置されることを特徴とする請求項１乃至７のいずれかに記載の電動ディスクブレーキ。
【請求項９】
移動部材は、モータのロータと連動して回転するリング状回転体からなり、一側面側が径方向外側、他側面側が径方向内側にそれぞれ配置されることを特徴とする請求項１乃至７のいずれかに記載の電動ディスクブレーキ。
【請求項１０】
移動部材は、モータのロータと連動して回転するリング状回転体からなり、一側面側が端面側、他側面側が端面から離間する側にそれぞれ配置されることを特徴とする１乃至７のいずれかに記載の電動ディスクブレーキ。
【手続補正２】
【補正対象書類名】明細書
【補正対象項目名】発明の名称
【補正方法】変更
【補正の内容】
【発明の名称】電動ディスクブレーキ
【手続補正３】
【補正対象書類名】明細書
【補正対象項目名】０００１
【補正方法】変更
【補正の内容】
【０００１】
本発明は、モータのトルクによって制動力を発生する電動ディスクブレーキに係り、特に駐車ブレーキ機能を付加した駐車ブレーキ付き電動ディスクブレーキに関する。
【手続補正４】
【補正対象書類名】明細書
【補正対象項目名】０００７
【補正方法】変更
【補正の内容】
【０００７】
本発明は、上記した技術的背景に鑑みてなされたもので、その課題とするところは、ロック機構を構成するアクチュエータが故障しても、リクランプ操作を確実に行うと共に、ロック機構が作動して不用意に駐車ブレーキがかかることがない電動ディスクブレーキを提供することにある。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００６４
【補正方法】変更
【補正の内容】
【００６４】
なお、上記実施の形態においては、ロック機構４１を電動ディスクブレーキ１に適用した例を示したが、これに限らず、汎用的な工作機械等に用いることができる。特に、図８に示すロック機構４１は自動車整備用のリフトや自動倉庫のスタッカークレーン等に用いることができる。
このようなロック装置によれば、アクチュエータが故障しても、リクランプ操作を確実に行うできることはもちろん、不用意にロック状態となることがないので、安全性が高まる。
上記のようなロック装置は、回転移動または直線移動可能で、その移動方向に所定のピッチで複数の爪部を配設した移動部材と、該移動部材の爪部を係止可能な係止部を有する係止部材と、該係止部が前記移動部材の爪部に係合する方向へ前記係合部材を駆動するアクチュエータと、前記係合部が前記移動部材の爪部から離脱する方向へ前記係合部材を常時付勢する付勢手段とを備えたロック装置において、前記移動部材は、回転または直線運動の移動方向に沿って一側面および他側面を有し、該一側面には移動方向に間隔をおいて複数の爪部が設けられ、前記係止部材は、前記複数の爪部に係止する係止部を有し、前記移動部材の移動を規制するロック時には前記係止部が前記移動部材の一側面側の爪部に係止され、前記移動部材の移動を規制しないアンロック時には前記係止部が前記移動部材の他側面側に位置することを特徴とする。
上記ロック装置においては、リクランプ操作時には、ロック状態にあるので係止部が移動部材の一側面側の爪部に係止され続け、アクチュエータが故障しても、再度、ロックを確実にかけることができる。また、係合部材は、付勢手段によって移動部材の爪部から係合部を離脱させる方向へ常時付勢されているので、通常のアンロック時には係止部が移動部材の他側面側に位置するのでアクチュエータが故障しても、ロック機構が作動することはない。
上記ロック装置の上記移動部材は、係止部材の係止部が複数の爪部間にあるとき、係止部が移動部材の一側面および他側面間を移動可能とする通路を有し、ロック時に、係止片の係止部は、アクチュエータの作動により移動部材の他側面側から通路を通って一側面側に移動し、一側面側の爪部に係止した状態となることを特徴とする。
上記ロック装置は、上記通路による係止部材の移動軌跡と移動部材の移動方向とは交差しており、係止部材の係止部が爪部の間に位置しているとき、付勢手段の付勢力により、係止部が移動部材の一側面側から通路を通って他側面側に移動してアンロック状態となることを特徴とする。
このように構成した場合は、係止部が通路を通ることで確実にロック、アンロックを行うことができる。
上記ロック装置の上記移動部材が一方向に移動したときには係止部が移動部材の一側面側から他側面側に移動できず、移動部材が他方向に移動したときに係止部が移動部材の一側面側から他側面側に移動できるように係止部材の移動軌跡を設定したことを特徴とする。 
上記ロック装置の上記通路は、一側面側から他側面側に向かうにつれて移動部材の他方向に向かうように延びていることを特徴とする。
このように構成した場合は、リクランプ操作時に、係止部が移動部材の一側面側から他側面側に移動できないようになっており、移動部材が制動方向に移動させるだけでリクランプ作動が可能になっており、係止部が移動部材の一側面側から他側面側に移動できるように係止部材の移動軌跡を設定されているので、移動部材が制動解除方向に移動させるだけで、アンロック状態とすることが可能になっている。また、移動部材に設けた通路が、該移動部材から係合部材が不用意に離脱するのを防止するので、安全性が高まる。
上記ロック装置は、上記係止部材の係止部が通路を通ることを特徴とする。
このように構成した場合は、係止部が通路を通ることで確実にロック、アンロックを行うことができる。
上記ロック装置の上記移動部材は、回転するリング状回転体からなり、一側面側が径方向内側、他側面側が径方向外側にそれぞれ配置されることを特徴とする。
上記ロック装置の上記移動部材は、回転するリング状回転体からなり、一側面側が径方向外側、他側面側が径方向内側にそれぞれ配置されることを特徴とする。
上記ロック装置の上記移動部材は、回転するリング状回転体からなり、一側面側が端面側、他側面側が端面から離間する側にそれぞれ配置されることを特徴とする。
上記ロック装置の上記移動部材は、直動する棒状体からなり、一側面側が外側面側、他側面側が内側面側にそれぞれ配置されることを特徴とする。